(57)【特許請求の範囲】
【請求項１】
吸着アッセンブリを備え、前記吸着アッセンブリは、
軟質材料で作成され、中央に形成される引張りポールを有する柔軟性ディスクと、
前記柔軟性ディスク上に装着されるカバーとを有し、前記カバーは、
上面と、
前記カバーの上面で中央に形成され、前記柔軟性ディスクの引張りポールを収容する位置決めパイプと、
前記カバーの上面に形成され、前記位置決めパイプの両側にそれぞれ位置される２つの突出部とを有し、前記吸着アッセンブリは、
前記カバーの前記位置決めパイプに接続されるハンドルを有し、前記ハンドルは、
前記カバーの前記２つの突出部とそれぞれ係止される２つの係止部を有し、前記吸着アッセンブリは、
前記ハンドルの前記２つの係止部、前記カバーの前記位置決めパイプ、前記柔軟性ディスクの前記引張りポールを貫通して装着されるスピンドルを有し、このため前記ハンドルが押圧されたとき、前記スピンドルは前記ハンドルによって前記カバーに対して上方に移動され、前記柔軟性ディスクの前記引張りポールを引張り上げ、前記柔軟性ディスクを弾性変形し、
前記吸着アッセンブリの前記カバー内に装着される固定アッセンブリを備え、前記固定アッセンブリは、
第１の固定部を有し、前記第１の固定部は、
前記第１の固定部の内面に形成され、前記第１の固定部の内側に対向する第１の開口を有する第１の配置領域と、
前記第１の固定部の下面に形成され、前記第１の固定部の上側に対向する第２の開口を有し、前記第２の開口の方向は前記第１の開口の方向に直交する第２の配置領域とを有し、前記固定アッセンブリは、
前記第１の固定部と組み合わされる第２の固定部と、
前記第１の固定部と前記第２の固定部との間で固定される調整部材とを有し、前記調整部材は、
前記第２の配置領域内に垂直方向に移動可能に装着される係止プレートと、
前記係止プレートと前記第１の固定部を貫通して横方向に移動可能に装着され、前記第１の配置領域に対向するスライドポールと、
前記第１の配置領域及び前記第２の配置領域内にそれぞれ装着され、前記係止プレート及び前記スライドポールをそれぞれ押圧する２つの圧縮バネとを有し、前記固定アッセンブリは、
前記第１の固定部と前記第２の固定部との間に枢動可能に接続されるピボット固定部を有し、前記ピボット固定部は、
前記ピボット固定部の底部上に形成され、前記係止プレートの上端に当接して前記ピボット固定部を前記調整部材と固定する押圧溝を有することを特徴とする固定具。
【請求項２】
前記柔軟性ディスクの引張りポールは、
前記柔軟性ディスクから遠位の一端と、
前記引張りポールの両側を貫通して形成され、前記引張りポールの一端に隣接配置される貫通孔とを有し、
前記カバーは湾曲され、前記カバーは、
前記位置決めパイプを貫通して垂直方向に形成され、前記カバーと連通し、前記引張りポールの周りに配置される収容孔と、
前記位置決めパイプを貫通して横方向に形成され、前記引張ポールの前記貫通孔と位置合わせし、２つの突出部の上方にそれぞれ位置される２つの長孔とを有し、
前記ハンドルは、前記２つの係止部を貫通してそれぞれ形成され、前記２つの長孔と位置合わせする２つのハンドル開口を有し、前記スピンドルは、前記ハンドルの前記２つのハンドル開口、前記位置決めパイプの前記２つの長孔、前記引張りポールの前記貫通孔を貫通して装着され、前記２つの係止部は前記ハンドル上に所定間隔で形成されることを特徴とする請求項１記載の固定具。
【請求項３】
前記係止プレートは、
前記係止プレートを貫通して形成され、底部側を有する係止孔と、
前記係止孔の底部側に傾斜して形成される係止面とを有し、
前記スライドポールは、
前記係止プレートの前記係止孔を貫通して装着され、底部側を有する押圧部と、
前記押圧部の下側に傾斜して形成され、前記係止面を押圧する押圧面とを有することを特徴とする請求項１又は請求項２記載の固定具。
【請求項４】
前記第１の固定部は、前記第１の固定部の内面に形成されるシリンダーを有し、
前記ピボット固定部は、
前記第１の固定部の前記シリンダーの周りに枢動可能に配置されるピボット孔を有し、
前記押圧溝は、前記ピボット固定部の前記ピボット孔の底部の周囲に形成され、前記係止プレートの上端に当接され、
前記ピボット固定部は調整部材と固定されることを特徴とする請求項１乃至請求項３何れか１項記載の固定具。
【請求項５】
前記第１の固定部は、
外面と、
前記第１の固定部の外面に形成される第１の延長ポールとを有し、
前記第２の固定部は、
外面と、
前記第２の固定部の外面に形成され、前記第１の延長ポールと組み合わされて支柱を形成し、前記支柱は前記カバーの前記位置決めパイプ内に確実に装着される第２の延長ポールとを有することを特徴とする請求項１乃至請求項４何れか１項記載の固定具。
【請求項６】
前記２つの係止部のそれぞれは第１の切欠き及び第２の切欠きを有し、前記第１の切欠き又は前記第２の切欠きは対応する突出部と係止され、前記第１の切欠きから前記スピンドルまでの距離は前記第２の切欠きから前記スピンドルまでの距離よりも短いことを特徴とする請求項１乃至請求項５何れか１項記載の固定具。
【発明の詳細な説明】
【技術分野】
【０００１】
本発明は、固定具に関し、特に吸着機能を備える固定具に係わる。
【背景技術】
【０００２】
多数の種類の固定具が、例えば機械固定具、捺印固定具、熱処理固定具、溶接固定具、組立て固定具等のように工業界で適用されている。従来の固定具は堅固に工具を固定することにある。例えば、機械に装着された固定具は、ワークピース（被加工物）又は切削工具を固定するために使用される。しかしながら、従来の固定具は、主に産業用途に適用されており、しばしば、堅牢性と安全性の要求により金属製である。それで、従来の固定具は、重くて、移動が困難であり、使用のための場所が限定される必要がある。別の場所に搬送するには、従来の固定具を分解する必要があるため、従来の固定具は不便であって、殆ど毎日の利用には適用されない。
【発明の概要】
【発明が解決しようとする課題】
【０００３】
これらの欠点を克服するために、本発明は、前述の問題を軽減又は回避する固定具を提供せんとするものである。
【０００４】
本発明の主な目的は、毎日の使用に適用され、収納に便利で簡単に設置できる特性を有する固定具を提供することにある。
【課題を解決するための手段】
【０００５】
前述の目的を達成するため、本発明の固定具は、吸着アッセンブリ及び固定アッセンブリを備えている。
【０００６】
吸着アッセンブリは、柔軟性ディスク、カバー、ハンドル及びスピンドルを有する。柔軟性ディスクは、軟質材料で作成され、その柔軟性ディスク上で中央に形成された引張りポールを有する。カバーは、柔軟性ディスク上に装着され、位置決めパイプ及び２つの突出部を有する。位置決めパイプは、カバーの上面に中央に形成され、柔軟性ディスクの引張りポールを収容する。２つの突出部は、カバーの上面に形成され、位置決めパイプの両側にそれぞれ配置される。ハンドルはカバーの位置決めパイプに接続され、２つの係止部を有する。２つの係止部はカバーの２つの突出部でそれぞれ係止される。スピンドルは、２つの係止部、カバーの位置決めパイプ及び柔軟性ディスクの引張りポールを貫通して装着される。柔軟性ディスクは、ハンドル及びスピンドルによって上方に引張られる。
【０００７】
固定アッセンブリは、吸着アッセンブリのカバー内に装着され、第１の固定部、第２の固定部、調整部材及びピボット固定部を有する。第１の固定部は、内面、底面、第１の配置領域及び第２の配置領域を有する。第１の配置領域は、第１の固定部の内面上に形成される。第２の配置領域は、第１の固定部の底面上に形成される。第２の固定部は、第１の固定部と組み合わされる。調整部材は、第１の固定部及び第２の固定部との間に固定され、係止プレート、スライドポール及び２つの圧縮バネを有する。係止プレートは、第２の配置領域内に垂直方向に移動可能に装着される。スライドポールは係止プレート及び第１の固定部を貫通して横方向に移動可能に装着され、第１の配置領域に対向している。２つの圧縮バネは、第１の配置領域及び第２の配置領域内にそれぞれ装着され、係止プレート及びスライドポールをそれぞれ押圧する。ピボット固定部は第１の固定部と第２の固定部との間に枢動可能に接続され、押圧溝を有する。押圧溝は、ピボット固定部の底部上に形成され、係止プレートの先端を収容し、これに当接している。
【０００８】
本発明は、吸着アッセンブリ及び固定アッセンブリを有する。本発明による固定具の使用時において、吸着アッセンブリは、地面、テーブル又は車両上に確実に装着することができる。柔軟性ディスクは、ハンドルによって上方に引張られるので、隙間が柔軟性ディスクと地面、テーブル又は車両の表面との間に形成される。隙間内の圧力は周囲の大気圧よりも低いので、吸着効果を達成し、このため本発明の吸着アッセンブリは、従来技術の固定アッセンブリよりも分解が容易である。固定アッセンブリは、カバー布でシリンダーを固定するために使用することができる。カバー布は、展拡されて車両上部を遮蔽するようになる。吸着アッセンブリの吸着状態はハンドルを回動することによって解除することができ、本発明は容易に分解するという利点を有する。
【０００９】
本発明の他の目的、利点及び新規な特徴は、以下の詳細な説明から図面を併せて参照して一層明らかとなる。
【図面の簡単な説明】
【００１０】
【図１】図１は、本発明にしたがう固定具の斜視図である。
【図２】図２は、図１における固定具の分解斜視図である。
【図３】図３は、図１における固定具の固定アッセンブリの部分断面側面図で、固定状態で示す。
【図４】図４は、図１における固定具の固定アッセンブリの部分断面側面図で、固定解除状態で示す。
【図５】図５は、図１における固定具の吸着アッセンブリの部分斜視図である。
【図６】図６は、図１における固定具の吸着アッセンブリの部分動作斜視図である。
【発明を実施するための形態】
【００１１】
以下、本発明にしたがう固定具をその好ましい実施形態について図面を参照して詳述する。
【００１２】
図１を参照するに、本発明の固定具は、吸着アッセンブリ１０及び固定アッセンブリ２０を備えている。図２及び図５を参照するに、吸着アッセンブリ１０は、柔軟性ディスク１１、カバー１２、ハンドル１３、スピンドル１４を有する。柔軟性ディスク１１は、軟質材料で作成され、柔軟性ディスク１１上で中央に形成された引張りポール１１１を有する。引張りポール１１１は、柔軟性ディスク１１から遠位の一端部及び引張りポール１１１の両側を貫通して形成され、引張りポール１１１の一端部に隣接して配置された貫通孔１１２を有する。カバー１２は、湾曲して、柔軟性ディスク１１の上部に装着され、位置決めパイプ１２１、収容孔１２２、２つの長孔１２３、２つの突出部１２４を有する。位置決めパイプ１２１は、カバー１２の上面の中央に形成される。収容孔１２２は、位置決めパイプ１２１を通って垂直方向に形成され、カバー１２に連通し、収容孔１２２は、引張りポール１１１の周りに配置される。２つの長孔１２３は、位置決めパイプ１２１を横方向に貫通して形成され、引張りポール１１１の貫通孔１１２と位置合わせされる。２つの突出部１２４はカバー１２の上面に形成され、２つの長孔１２３は２つの突出部１２４上にそれぞれ位置する。
【００１３】
ハンドル１３は、カバー１２の位置決めパイプ１２１に接続され、２つの係止部１３１及び２つのハンドル開口１３２を有する。２つの係止部１３１は、所定間隔でハンドル１３上に形成される。２つの係止部１３１はカバー１２の２つの突出部１２４にそれぞれ係止され、各係止部１３１は第１の切欠き１３１１及び第２の切欠き１３１２を有する。２つのハンドル開口１３２は、２つの係止部１３１を貫通してそれぞれ形成され、２つの長孔１２３と位置合わせされる。第１の切欠き１３１１からハンドル開口１３２までの距離は第２の切欠き１３１２からハンドル開口１３２までの距離よりも短い。スピンドル１４は、ハンドル１３の２つのハンドル開口１３２、２つの長孔１２３、引張りポール１１１の貫通孔１１２に貫通して装着される。引張りポール１１１は、ハンドル１３及びスピンドル１４を押圧することにより上方に引き上げられる。
【００１４】
図２及び図３を参照するに、固定アッセンブリ２０は、吸着アッセンブリ１０のカバー１２に装着され、第１の固定部２１、調整部材２２、ピボット固定部２３、第２の固定部２４を有する。第１の固定部２１は、内面、底面、外面、シリンダー２１１、第１の配置領域２１２、第２の配置領域２１３、第１の延長ポール２１４を有する。シリンダー２１１は、第１の固定部２１の内面上に形成される。第１の配置領域２１２は、第１の固定部２１の内面上に形成される。第１の配置領域２１２は第１の固定部２１の内面上に形成され、シリンダー２１１の下に位置する。第２の配置領域２１３は、第１の固定部２１の底面上に形成される。第１の配置領域２１２は第１の開口２１２１を有し、これは第１の固定部２１の内側に対向している。第２の配置領域２１３は、第２の開口２１３１を有し、これは、第１の固定部２１の上部側でシリンダー２１１に対向し、第２の開口２１３１の方向は第１の開口２１２１の方向と直交する。第１の延長ポール２１４は第１の固定部２１の外面に形成される。
【００１５】
調整部材２２は、第１の固定部２１内に装着され、２つの圧縮バネ２２１、係止プレート２２２、スライドポール２２３を有する。２つの圧縮バネ２２１が第１の配置領域２１２及び第２の配置領域２１３にそれぞれ装着され、これらの２つの圧縮バネ２２１は第１の固定部２１内において互いに直交して装着される。係止プレート２２２が第２の配置領域２１３内に垂直方向に移動可能に装着され、圧縮バネ２２１によって第２の配置領域２１３に押圧される。係止プレート２２２は、係止孔２２２１及び係止面２２２２を有する。係止孔２２２１は係止プレート２２２を通って形成される。係止面２２２２は係止孔２２２１の底側部に傾斜して形成される。スライドポール２２３は第１の固定部２１を通って横方向に移動可能に装着され、押圧部２２３１及び押圧部２２３１の底部側上に傾斜して形成される押圧面２２３２を有する。押圧部２２３１は係止プレート２２２の係止孔２２２１を通って装着され、押圧面２２３２は係止面２２２２を押圧する。スライドポール２２３は、第１の配置領域２１２において圧縮バネ２２１によって押圧される。
【００１６】
ピボット固定部２３はピボット孔２３１及び押圧溝２３２を有する。ピボット孔２３１は第１の固定部２１のシリンダー２１１の周囲に枢動可能に配置される。押圧溝２３２はピボット固定部２３の底部に形成され、係止プレート２２２の上端に当接し、ピボット固定部２３は調整部材２２と固定される。第２の固定部２４は、第１の固定部２１と結合され、外面及び第２の延長ポール２４１を有する。第２の延長ポール２４１は第２の固定部２４の外面に形成される。第２の延長ポール２４１は第１の延長ポール２１４と組み合わされて支柱を形成し、この支柱はカバー１２の位置決めパイプ１２１内に確実に装着される。第１の固定部２１及び第２の固定部２４は、ピボット固定部２３を位置決めし、調整部材２２を覆っている。ピボット固定部２３は第１の固定部２１及び第２の固定部２４に対してシリンダー２１１の周りで枢動させることができる。
【００１７】
図５及び図６を参照するに、本発明の吸着アッセンブリ１０は、カバー布を装着するための車両の上部に装着することができる。使用中に、ハンドル１３を外部の力によって下方に押圧して２つの係止部１３１の２つの第２の切欠き１３１２をカバー１２の２つの突出部１２４にそれぞれ係止する。スピンドル１４は、ハンドル１３によってカバー１２に対して２つの長孔１２３に沿って上方に移動される。同時に、柔軟性ディスク１１の引張りポール１１１はスピンドル１４によって上方に引張られ、引張りポール１１１は柔軟性ディスク１１を弾性変形する。最後に、柔軟性ディスク１１と車両の表面との間に隙間が形成される。隙間内の圧力は周囲の大気圧よりも低いので吸着効果を達成する。
【００１８】
図３及び図４を参照するに、固定アッセンブリ２０は、シリンダーを固定するために使用することができる。固定アッセンブリが使用中であるとき、ピボット固定部２３は外力によって枢動され、第１の固定部２１及び第２の固定部２４から離間して移動される。枢動過程において、係止プレート２２２は押圧溝２３２から離間して押圧され、最終的には固定部２３の外面によって下方に押圧される。スライドポール２２３の押圧部２２３１は係止孔２２２１に沿って第１の配置領域２１２に向かって移動する。係止プレート２２２は、圧縮バネ２２１によって第２の配置領域２１３内に支持され、ピボット固定部２３を上方に押圧する。そのため、ピボット固定部２３、第１の固定部２１、第２の固定部２４は固定状態から固定解除状態とされる。したがって、シリンダーは、カバー布をともなって、ピボット固定部２３と、第１の固定部２１及び第２の固定部２４との間に装着することができる。シリンダーがカバー布で装着される後、ピボット固定部２３は逆に枢動され、係止プレート２２２の下方への固定を解除する。係止プレート２２２及びスライドポール２２３は、２つの圧縮バネ２２１によって元の位置に押圧される。シリンダーは、ピボット固定部２３と、第１の固定部２１及び第２の固定部２４とによって確実に固定される。それで、カバー布は展拡されて車両上部を遮蔽するようになる。
【００１９】
本発明は、吸着アッセンブリ１０及び固定アッセンブリ２０を組み合わせている。アッセンブリ２０は、壁、地面、テーブル又は車両上面に確実に装着することができる。吸着アッセンブリ２０は、ハンドルを押すことによって、吸着効果を達成又は解除でき、本発明は、容易に分解し、保管するという利点を有することができる。そこで本発明は、日常の使用での用途に適しており、実際上の有用性が向上している。
【００２０】
本発明の多くの特徴及び利点は、上記の説明に本発明の構造の詳細及び特長と共に記載されているが、この開示は単なる例示である。変更は、細部において、特に形状、大きさ及び部品の配置の事項において特許請求の範囲で表現されている用語の広い一般的な意味によって示される全範囲にわたる本発明の原理内で行うことができる。
【符号の説明】
【００２１】
１０・・・吸着アッセンブリ
１１・・・柔軟性ディスク
１１１・・・引張りポール
１１２・・・貫通孔
１２・・・カバー
１２１・・・位置決めパイプ
１２２・・・収容孔
１２３・・・長孔
１２４・・・突出部
１３・・・ハンドル
１３１・・・係止部
１３１１・・・第１の切欠き
１３１２・・・第２の切欠き
１３２・・・ハンドル開口
１４・・・スピンドル
２０・・・固定アッセンブリ
２１・・・第１の固定部
２１１・・・シリンダー
２１２・・・第１の配置領域
２１２１・・・第１の開口
２１３・・・第２の配置領域
２１３１・・・第２の開口
２１４・・・第１の延長ポール
２２・・・調整部材
２２１・・・圧縮バネ
２２２・・・係止プレート
２２３・・・スライドポール
２２２１・・・係止孔
２２２２・・・係止面
２２３１・・・押圧部
２２３２・・・押圧面
２３・・・ピボット固定部
２３・・・ピボット固定部
２３１・・・ピボット孔
２３２・・・押圧溝
２４・・・第２の固定部
２４１・・・第２の延長ポール
【図１】
0006018683.tif 000002
【図２】
0006018683.tif 000003
【図３】
0006018683.tif 000004
【図４】
0006018683.tif 000005
【図５】
0006018683.tif 000006
【図６】
0006018683.tif 000007